【手続補正書】
【提出日】平成24年12月28日(2012.12.28)
【手続補正１】
【補正対象書類名】特許請求の範囲
【補正対象項目名】全文
【補正方法】変更
【補正の内容】
【特許請求の範囲】
【請求項１】
内側チャンバ壁に区画された細長状チャンバと、
前記チャンバの少なくとも第一長手方向位置及び第二長手方向位置の間で前記チャンバに対して気密に移動可能である、前記チャンバ内にあるピストン手段と、
を備え、
前記チャンバは、当該チャンバの第一及び第二長手方向位置において、異なる断面積を有する断面を有し、前記第一及び第二長手方向位置の中間の長手方向位置において、少なくとも実質的に連続的に異なる断面積を有する断面を有し、
前記第一長手方向位置における断面積は、前記第二長手方向位置における断面積よりも大きく、
前記ピストン手段は、前記チャンバの第一長手方向位置から前記中間の長手方向位置を通って第二長手方向位置へ当該ピストン手段が相対移動する間において、それ自身及び前記密封手段を前記チャンバの前記異なる断面積に適合させるように、構成されており、
前記ピストン手段は、変形可能な材料を含む弾性的に変形可能な容器を有し、
前記ピストン手段は、変形可能な容器と連通する閉鎖空間を有し、
前記閉鎖空間は、一定の容積を有する
ことを特徴とするピストンチャンバの組合せ。
【請求項２】
内側チャンバ壁に区画された細長状チャンバと、
前記チャンバの少なくとも第一長手方向位置及び第二長手方向位置の間で前記チャンバ壁に対して気密に移動可能である、前記チャンバ内にあるピストンと、
を備え、
前記チャンバは、前記第一及び第二長手方向位置において、異なる断面積及び異なる周方向長さを有する断面を有し、前記第一及び第二長手方向位置の中間の長手方向位置において、少なくとも実質的に連続的に異なる断面積及び周方向長さを有する断面を有し、
前記第二長手方向位置における断面積は、前記第一長手方向位置における断面積よりも小さく、
前記第二長手方向位置における周方向長さは、前記第一長手方向位置における周方向長さよりも短く、
前記ピストンは弾性的に変形可能な容器を有し、それ故に、前記チャンバの前記中間の長手方向位置を通って前記第一及び第二長手方向位置の間を前記ピストンが相対移動する間において、前記ピストンの異なる断面積及び周方向長さを前記チャンバの前記異なる断面積及び異なる周方向長さに適合させることを提供し、
前記ピストンの周方向長さが前記第二長手方向位置における前記チャンバの周方向長さに略等しいというような、応力のない無変形状態において、前記容器の製造サイズを有するように前記ピストンは製造され、
前記容器は、前記チャンバの長手方向に関して横断する方向に前記製造サイズから膨張可能であり、それ故に、前記第二長手方向位置から前記第一長手方向位置へ前記ピストンが相対移動する間において、前記製造サイズから前記ピストンが膨張することを提供し、
前記ピストン手段は、変形可能な容器と連通する閉鎖空間を有し、
前記閉鎖空間は、少なくとも実質的に一定の容積を有する
ことを特徴とするピストンチャンバの組合せ。
【請求項３】
ピストンロッドを更に備え、
当該ピストンロッドは、前記閉鎖空間を有し、
前記閉鎖空間は、行き止まりの端部を有する
ことを特徴とする請求項１または２に記載のピストンチャンバの組合せ。
【請求項４】
前記容器は、膨張可能であり、
前記閉鎖空間の吸入口が、逆止弁を有する
ことを特徴とする請求項１または２に記載のピストンチャンバの組合せ。
【請求項５】
計測システムを更に備え、
センサとゲージとが、ワイヤルーム（wire loom）によって接続されており、
前記閉鎖空間は、前記ワイヤルームの組立体によって囲まれており、
前記ワイヤルームの組立体は、前記閉鎖空間を密閉する部材に埋め込まれており、
前記ゲージは、前記ピストンロッドの先端に配置されている
ことを特徴とする請求項１乃至４のいずれかに記載のピストンチャンバの組合せ。
【請求項６】
前記密閉する部材は、前記中空ピストンロッドの段付き形状に嵌合しており、
前記段付き形状は、最小直径を有し、前記ピストンの先端に最も近い
ことを特徴とする請求項５に記載のピストンチャンバの組合せ。
【請求項７】
ゲージと、
パラメータが計測される閉鎖計測空間と、
を含む計測システムを更に備え、
前記閉鎖空間は、Ｏリング及びチューブによって閉鎖されており、
前記閉鎖空間は、前記閉鎖計測空間を含む前記チューブを含んでいる
ことを特徴とする請求項１または２に記載のピストンチャンバの組合せ。
【請求項８】
ゲージと、
パラメータが計測される閉鎖計測空間と、
を含む計測システムを更に備え、
前記閉鎖空間は、前記ゲージのハウジングと前記ゲージとの間にある密封材によって閉鎖されている
ことを特徴とする請求項１または２に記載のピストンチャンバの組合せ。
【請求項９】
前記ゲージは、前記センサを含み、
前記センサは、前記閉鎖計測空間と連通している
ことを特徴とする請求項７または８に記載のピストンチャンバの組合せ。
【請求項１０】
流体を押し出すためのポンプであって、当該ポンプは、
請求項１乃至９のいずれかに記載のピストンチャンバの組合せと、
前記チャンバの外部の位置から前記ピストン手段に係合するための手段と、
前記チャンバに接続され、バルブ手段を含む流体入口と、
前記チャンバに接続された流体出口と、
を備えた
ことを特徴とするポンプ。
【請求項１１】
前記係合手段は、
前記ピストン手段が前記チャンバの第一長手方向位置にある外部位置と、
前記ピストン手段が前記チャンバの第二長手方向位置にある内部位置と、
を有する
ことを特徴とする請求項１０に記載のポンプ。
【請求項１２】
前記係合手段は、
前記ピストン手段が前記チャンバの第二長手方向位置にある外部位置と、
前記ピストン手段が前記チャンバの第一長手方向位置にある内部位置と、
を有する
ことを特徴とする請求項１０に記載のポンプ。
【請求項１３】
請求項１乃至９のいずれかに記載のピストンチャンバの組合せと、
前記チャンバの外部の位置から前記ピストン手段に係合するための手段と、
を備え、
前記係合手段は、前記ピストン手段が前記チャンバの第一長手方向位置にある外部位置と、前記ピストン手段が前記チャンバの第二長手方向位置にある内部位置と、を有する
ことを特徴とするショックアブソーバ。
【請求項１４】
前記チャンバに接続され、バルブ手段を有する流体入口
を更に備えたことを特徴とする請求項１３に記載のショックアブソーバ。
【請求項１５】
前記チャンバに接続され、バルブ手段を有する流体出口
を更に備えたことを特徴とする請求項１３または１４に記載のショックアブソーバ。
【請求項１６】
前記チャンバ及び前記ピストン手段は、少なくとも実質的に密封された空洞を形成し、
前記空洞は、流体を含み、
前記ピストン手段が前記チャンバの第一長手方向位置から第二長手方向位置に移動する際、前記流体は圧縮される
ことを特徴とする請求項１３乃至１５のいずれかに記載のショックアブソーバ。
【請求項１７】
前記チャンバの前記第一長手方向位置に向けて前記ピストン手段を付勢するための手段を更に備えたことを特徴とする請求項１３乃至１５のいずれかに記載のショックアブソーバ。
【請求項１８】
請求項１乃至９のいずれかに記載のピストンチャンバの組合せと、
前記チャンバの外部の位置から前記ピストン手段に係合するための手段と、
前記チャンバの第一及び第二長手方向位置の間で前記ピストン手段を移動させるべく、流体を前記チャンバ内に導入するための手段と、
を備えたことを特徴とするアクチュエータ。
【請求項１９】
前記チャンバに接続され、バルブ手段を有する流体入口
を更に備えたことを特徴とする請求項１８に記載のアクチュエータ。
【請求項２０】
前記チャンバに接続され、バルブ手段を有する流体出口
を更に備えたことを特徴とする請求項１８または１９に記載のアクチュエータ。
【請求項２１】
前記チャンバの前記第一長手方向位置または前記第二長手方向位置に向けて前記ピストン手段を付勢するための手段
を更に備えたことを特徴とする請求項１８乃至２０のいずれかに記載のアクチュエータ。
【請求項２２】
前記導入手段は、前記チャンバ内に圧縮流体を導入するための手段を備える
ことを特徴とする請求項１８乃至２１のいずれかに記載のアクチュエータ。
【請求項２３】
前記導入手段は、ガソリンまたはディーゼルのような可燃性流体を前記チャンバ内に導入するようになっており、
当該アクチュエータは、前記可燃性流体を燃焼させるための手段を更に備える
ことを特徴とする請求項１８乃至２１のいずれかに記載のアクチュエータ。
【請求項２４】
前記導入手段は、膨張性流体を前記チャンバ内に導入するようになっており、
当該アクチュエータは、前記膨張性流体を膨張させるための手段を更に備える
ことを特徴とする請求項１８乃至２１のいずれかに記載のアクチュエータ。
【請求項２５】
前記ピストン手段の並進運動を自身の回転運動に変換するように構成されたクランク
を更に備えたことを特徴とする請求項１８乃至２１のいずれかに記載のアクチュエータ。